(57)【要約】  本発明の機能性流体は、約５０重量部から約９９重量部のグリコール成分と、ホスフェート分を含む約０．３重量部から約１０重量部の１つ以上の添加剤とを含む。望ましくは、本発明の１つの態様において、本機能性流体組成物は、ＡＳＴＭ  Ｄ  ２６７０（１分間の１００ｌｂでのならし運転、３０分間の２００ｌｂの荷重）に従って約０．０５ｍｍから約０．４５ｍｍにわたる平均痕幅、ＡＳＴＭ  Ｄ  ２６７０（１分間の１００ｌｂでのならし運転、３０分間の２００ｌｂの荷重）に従って約１５未満の平均歯数、又は両方を示す。【選択図】なし【特許請求の範囲】
【請求項１】
約５０重量部から約９９重量部のグリコール成分と、
ホスフェート分を含む約０．３重量部から約１０重量部の１つ又はそれ以上の添加剤と、
を含む、金属／ゴム接点を有する流体動力システムにおいて潤滑性を付与するための機能性流体組成物であって、
ＡＳＴＭ  Ｄ  ２６７０（１分間の１００ｌｂでのならし運転、３０分間の２００ｌｂの荷重）に従って測定して約．３５ｍｍ未満の平均痕幅、ＡＳＴＭ  Ｄ  ２６７０（１分間の１００ｌｂでのならし運転、３０分間の２００ｌｂの荷重）に従って約１５未満の平均歯数、又は両方を示し、
前記機能性流体には、場合によってはシリコーンを含まず、
前記１つ又はそれ以上の添加剤が、
（ｉ）リン酸のエステルを含む第１の添加剤、
（ｉｉ）エトキシル化リン酸エステルを含む第２の添加剤、又は
（ｉｉｉ）（ｉ）と（ｉｉ）の両方、
を含む、機能性流体組成物。
【請求項２】
前記第１の添加剤が、トリクレジルホスフェートから本質的になる、請求項１に記載の機能性流体組成物。
【請求項３】
前記第２の添加剤が、ポリオキシエチレンオクタダデセニルエーテルホスフェート．ポリオキシエチレンラウリルエーテルホスフェート、線状アルコールエトキシホスフェート、ポリエチレンフェニルエーテルホスフェート、ジアルキルフェノールリン酸エステル又はそれらの任意の組み合わせからなる群より選択されるエトキシル化リン酸エステルを含む、請求項１又は２に記載の機能性流体組成物。
【請求項４】
前記第２の添加剤が、ポリエチレングリコールフェニルエーテルホスフェートを含む、請求項１から３のいずれか一項に記載の機能性流体組成物。
【請求項５】
前記第２の添加剤が、ポリエチレングリコールフェニルエーテルホスフェートから本質的になる、請求項１から３のいずれか一項に記載の機能性流体組成物。
【請求項６】
前記第１の添加剤が、約−４５℃から約−２５℃にわたる融点、約２３０℃から約２６５℃にわたる沸点（４ｍｍＨｇで）、少なくとも約３７５℃である引火点、約１．１から約１．２５にわたる比重（２５℃で）、及び約０．５ｍｇ  ＫＯＨ／（前記第１の添加剤のｋｇ）未満の酸価を示す、請求項１から５のいずれか一項に記載の機能性流体組成物。
【請求項７】
前記第２の添加剤が、約９０から約１１５ｍｇ  ＫＯＨ／（前記第２の添加剤のｋｇ）にわたる酸価（第１の変曲点までのＫＯＨ）及び約１５％未満の非イオン分を示す、請求項１から６のいずれか一項に記載の機能性流体組成物。
【請求項８】
前記第１の添加剤、前記第２の添加剤、又は両方が、前記流体組成物の約０．００５から約０．７重量部の量で存在する、請求項１から７のいずれか一項に記載の機能性流体組成物。
【請求項９】
前記１又はそれ以上の添加剤が、その１つ又はそれ以上の添加剤の約０．５重量部から約２重量部の量で存在する腐食防止剤を含む、請求項１から８のいずれか一項に記載の機能性流体組成物。
【請求項１０】
前記１つ又はそれ以上の添加剤が、酸化防止剤、消泡剤、ｐＨ安定剤、又はそれらの任意の組み合わせをさらに含む、請求項１から９のいずれか一項に記載の機能性流体組成物。
【請求項１１】
前記グリコール成分が、式：
【化１５】
2011500919.tif 000020
（式中、Ｒ１は、Ｈ、又は１から８個の炭素原子を含有するアルキル基、又はそれらの混合物である）
を含み、前記グリコール成分が、式中、Ｒ２、Ｒ３、Ｒ４及びＲ５の少なくとも１つが、１から８個の炭素原子を含有するアルキル基である、少なくとも１つのグリコールを含む、請求項１から１０のいずれか一項に記載の機能性流体組成物。
【請求項１２】
前記グリコール成分が、Ｒ２、Ｒ３、Ｒ４及びＲ５がそれぞれＨである少なくとも１つのグリコールを含む、請求項１から１１のいずれか一項に記載の機能性流体組成物。
【請求項１３】
前記グリコール成分が、Ｒ２、Ｒ３、Ｒ４及びＲ５がそれぞれＨである少なくとも１つの第１の繰り返し単位と、Ｒ２、Ｒ３、Ｒ４及びＲ５の少なくとも１つ（例えば、１つ、２つ、３つ、又は４つ全て）が、それぞれ、１から８個の炭素原子を含有するアルキル基である、少なくとも１つの第２の繰り返し単位とを有する、少なくとも１つのグリコールを含む、請求項１から１２のいずれか一項に記載の機能性流体組成物。
【請求項１４】
前記少なくとも１つのグリコールが、ｎ＝２の場合にはグリコール成分の約０．２５重量部から約１０重量部の量で存在するグリコール、及びｎ＝４又はそれ以上の場合にはグリコール成分の約０重量部から約３０重量部の量で存在するグリコールを含む、請求項１から１３のいずれか一項に記載の機能性流体組成物。
【請求項１５】
グリコールホウ酸エステルを実質的に含まない、請求項１から１４のいずれか一項に記載の機能性流体組成物。
【請求項１６】
式：
【化１６】
2011500919.tif 000021
（式中、各Ｒ１、Ｒ２、Ｒ３、Ｒ４及びＲ５は、独立して、Ｈ、又は１から８個の炭素原子を含有するアルキル基、又はそれらの混合物であり、ｎは、１から４である）
を含む、約０．１重量部から約７０重量部のグリコールホウ酸エステルをさらに含む、請求項１から１４のいずれか一項に記載の機能性流体組成物。
【請求項１７】
ｎ＝３を有するホウ酸エステルの量が、ホウ酸エステルの約９０重量部より多く、ｎ＝２を有するホウ酸エステルの量が、ホウ酸エステルの約０．５重量部から約５．０重量部であり、及びｎ＝４を有するホウ酸エステルの量が、ホウ酸エステルの約０又は０．１重量部から約１５重量部である、請求項１６に記載の機能性流体組成物。
【請求項１８】
ｎ＝３を有するグリコール成分の量が、グリコール成分の約４０重量部より多く、ｎ＝２を有するグリコール成分の量が、グリコール成分の約０．５重量部から約５．０重量部であり、及びｎ＝４又はそれ以上を有するグリコール成分が、グリコール成分の約５重量部から約１５重量部である、請求項１から１７のいずれか一項に記載の機能性流体組成物。
【請求項１９】
前記グリコール成分が、１つ又はそれ以上の高純度グリコール成分を含む、請求項１から１８のいずれか一項に記載の機能性流体組成物。
【請求項２０】
前記グリコール成分の約０．５重量部から約１０重量部が、４個の炭素原子を含有するＲ１及びｎ＝２を有し、
前記グリコール成分の約４０重量部から約６０重量部が、１個の炭素原子を含有するＲ１及びｎ＝３を有し、
前記グリコール成分の約５重量部から約１５重量部が、４個の炭素原子を含有するＲ１及びｎ＝３を有し、
前記グリコール成分の約５重量部から約１５重量部が、４個の炭素原子を含有するＲ１及びｎ＝４又はそれ以上を有し、
１つ又はそれ以上の添加剤の約０．３重量部から約１０重量部が、ホスフェート分を含み、
ＡＳＴＭ  Ｄ  ２６７０（１分間の１００ｌｂでのならし運転、３０分間の２００ｌｂの荷重）に従って約０．１ｍｍから約０．３ｍｍにわたる平均痕幅、ＡＳＴＭ  Ｄ  ２６７０（１分間の１００ｌｂでのならし運転、３０分間の２００ｌｂの荷重）に従って約８未満の平均歯数、又は両方を示す、
請求項１から１９のいずれか一項に記載の機能性流体組成物。
【請求項２１】
シリコーンを含まない、請求項１から２０のいずれか一項に記載の機能性流体組成物。
【請求項２２】
前記流体動力システムが、制動システムである、請求項１から２１のいずれか一項に記載の機能性流体組成物。
【請求項２３】
前記１つ又はそれ以上の添加剤が、少なくとも１つの腐食防止剤をさらに含み、その少なくとも１つの腐食防止剤が、前記添加剤成分の約０．００５から約５重量部の量で存在する、請求項１から２２のいずれか一項に記載の機能性流体組成物。
【請求項２４】
約５０重量部から約９９重量部のグリコール成分と、
約０．３重量部から約１０重量部の１つ又はそれ以上の添加剤と
を含む、金属／ゴム接点を有する流体動力システムにおいて潤滑性を付与するための機能性流体組成物であって、
前記機能性流体が、
ｉ）前記グリコール成分が、前記機能性流体の総重量に基づき約１０重量％から約３０重量％の濃度で約５００の平均分子量を有するポリエチレン−プロピレングリコールモノメチルエーテルを含むこと、又は
ｉｉ）前記１つ又はそれ以上の添加剤が、前記機能性流体の総重量に基づき約０．０２重量％から約０．５重量％の濃度でオレイン酸を含むこと
のいずれか又は両方をさらに特徴とし、
前記１つ又はそれ以上の添加剤が、場合によりポリエチレンフェニルエーテルホスフェートを含有し、場合により前記機能性流体はシリコーンを含まず、前記グリコール成分が、前記機能性流体の総重量に基づき約２５重量％より高い濃度で存在するメトキシトリグリコールを含み、及び前記機能性流体が、次の特徴：約０．３６ｍｍ未満の平均痕幅、約１０未満の歯数、約２５０℃より高いＥＲＢＰ、又は約８００ｃＳｔ未満の−４０℃での粘度、の１つ又は任意の組み合わせを有する、機能性流体組成物。
【請求項２５】
（ｉ）リン酸のエステルを含む第１の添加剤及び（ｉｉ）エトキシル化リン酸エステルを含む第２の添加剤の少なくとも一方を約５重量部から約７５重量部と、
（ａ）プロパンジアミン及びキシレン、（ｂ）ヒドロキシエチルピペラジン、（ｃ）ドデセニルコハク酸無水物、（ｄ）ジ−（２−エチルヘキシル）リン酸、（ｅ）ポリ（ジエトキシシロキサン）、（ｅ）オレイン酸、及び（ｆ）プロピレングリコール及びｂｏｒａｘ  ５ｍｏｌ成分のうちの少なくとも１つを含む２つ以上の腐食防止剤を約３０重量部から約９９重量部と
を含む、流体動力システムにおいて潤滑性を付与するための添加剤パッケージであって、
前記第１の添加剤が、約−４５℃から約−２５℃にわたる融点、約２３０℃から約２６５℃にわたる沸点（４ｍｍＨｇで）、少なくとも約３７５℃である引火点、約１．１から約１．２５にわたる比重（２５℃で）、及び約０．５ｍｇＫＯＨ／ｋｇ未満の酸価を示し、
前記第２の添加剤が、約９０から約１１５にわたる酸価（第１の変曲点までのＫＯＨ）及び約１５％未満の非イオン分を示し、ならびに
機能性流体組成物が、前記添加剤パッケージを含み、前記機能性流体組成物が、ＡＳＴＭ  Ｄ  ２６７０（１分間の１００ｌｂでのならし運転、３０分間の２００ｌｂの荷重）に従って約０．３５ｍｍ未満の平均痕幅、ＡＳＴＭ  Ｄ  ２６７０（１分間の１００ｌｂでのならし運転、３０分間の２００ｌｂの荷重）に従って約１５未満の平均歯数、又は両方を示す、添加剤パッケージ。
【請求項２６】
前記第１の添加剤が、トリクレジルホスフェートから本質的になる、請求項２５に記載の添加剤パッケージ。
【請求項２７】
前記第２の添加剤が、ポリエチレングリコールフェニルエーテルホスフェートから本質的になる、請求項２５又は２６に記載の添加剤パッケージ。
【請求項２８】
流体動力システムの１つ又はそれ以上のゴム製部品と、シリコーンを含まず、かつ、ホスフェート分を含む約０．３重量部から約１０重量部の１つ又はそれ以上の添加剤を含む機能性流体組成物とを接触させる段階を含み、
前記機能性流体組成物が、ＡＳＴＭ  Ｄ  ２６７０（１分間の１００ｌｂでのならし運転、３０分間の２００ｌｂの荷重）に従って約０．０５ｍｍから約０．４５ｍｍにわたる平均痕幅、ＡＳＴＭ  Ｄ  ２６７０（１分間の１００ｌｂでのならし運転、３０分間の２００ｌｂの荷重）に従って約１５未満の平均歯数、又は両方を示す、潤滑性を付与するための方法。
【請求項２９】
請求項１から２４のいずれか一項に記載の流体組成物を含む制動システム。
【請求項３０】
ブースタを含まない、請求項２９に記載の制動システム。
【請求項３１】
請求項２５から２７のいずれか一項に記載の添加剤パッケージを含む制動システム。
【請求項３２】
ブースタを含まない、請求項３１に記載の制動システム。
【請求項３３】
制動システム内の流体としての請求項１から２４のいずれか一項に記載の流体組成物の使用。
【請求項３４】
ブースタを含まない制動システム内の流体としての請求項１から２４のいずれか一項に記載の流体組成物の使用。
【請求項３５】
制動システム内の機能性流体中の成分としての請求項２５から２７のいずれか一項に記載の添加剤パッケージの使用。
【請求項３６】
ブースタを含まない制動システム内の機能性流体中の成分としての請求項２５から２７のいずれか一項に記載の添加剤パッケージの使用。
【発明の詳細な説明】
【技術分野】
【０００１】
優先権主張
本出願は、仮出願第６０／９７９９０１号（Ｚｈａｏらによる２００７年１０月１５日出願の「FUNCTIONAL FLUID COMPOSITION FOR IMPROVING LUBRICITY OF A BRAKING SYSTEM」）の出願日の利益を主張するものであり、該仮出願の内容は、それらの全体が参照により本明細書に組み込まれる。
【０００２】
本発明は、様々な用途に有用である機能性流体に関する。本発明の機能性流体は、作動液（hydraulic fluid）、例えば低温での突然の動き（例えば、急制動）、十分な動作又は両方にとってより低粘度の流体が有益である自動車両用のアンチロック・ブレーキ・システム、安定性制御システム又は回生制動システム（regenerative braking systems）のためのブレーキ液、として特に有用である。
【背景技術】
【０００３】
新しく開発された装置、例えば、電子式又は自動アンチロック・ブレーキング・システム、安定性制御システム及び回生制動システムは、適切な物理及び性能特性を有する高性能作動液（例えば、ブレーキ液）の必要を生じさせた。特に、ブレーキ鳴きを減少させる又は無くすために高い潤滑性を有し、その上、ブレーキの寿命を向上させる、高性能ブレーキ液が強く求められている。加えて、良好な低温粘度を有し、その上、所望の最低乾燥平衡還流沸点（equilibrium reflux boiling point）（ＥＲＢＰ）及び湿潤平衡還流沸点（wet equilibrium reflux boiling point）（ＷＥＲＢＰ）温度を満たす又は超える、高性能ブレーキ液が求められている。ブレーキ液についての現行の国際規格の実例を下の表１に示す。そのような液の候補としての成功には、比較的安価であることも必要である。
【０００４】
そのような所望の機能性流体をもたらす１つの例示的解決法は、２００６年６月２９日出願の、「Low Viscosity Functional Fluids」と題し、全ての目的で参照により本明細書に組み込まれる、所有者共通の米国特許出願公開第２００７／００２７０３９号に紹介されている。
【先行技術文献】
【特許文献】
【０００５】
【特許文献１】米国特許出願公開第２００７／００２７０３９号
【発明の概要】
【課題を解決するための手段】
【０００６】
１つの態様において、本発明は、約５０重量部から約９９重量部のグリコール成分と、ホスフェート分を含む約０．３重量部から約１０重量部の１つ又はそれ以上の添加剤（additives）とを含む、金属／ゴム接点（metal/rubber contact）を有する流体動力システムにおいて潤滑性を付与するための機能性流体組成物に関し；前記機能性流体組成物は、ＡＳＴＭ  Ｄ  ２６７０（１分間の１００ｌｂでのならし運転、３０分間の２００ｌｂの荷重）に従って測定して約．３５ｍｍ未満の平均痕幅（average scar width）、ＡＳＴＭ  Ｄ  ２６７０（１分間の１００ｌｂでのならし運転、３０分間の２００ｌｂの荷重）に従って約１５未満の平均歯数（average tooth count）、又は両方を示し、及び前記機能性流体には場合によってはシリコーンを含まず（free of silicone）；この１つ又はそれ以上の添加剤は、リン酸のエステルを含む第１の添加剤、及び／又はエトキシル化リン酸エステルを含む第２の添加剤、のいずれか又は両方を含む。
【表１】
2011500919.tif 000002
【０００７】
本発明のこの態様は、次の特徴の１つ又は任意の組み合わせをさらに特徴とし得る：前記第１の添加剤が、トリクレジルホスフェートから本質的になる；前記第２の添加剤が、ポリオキシエチレンオクタダデセニルエーテルホスフェート（polyoxyethylene octadadecenyl ether phosphate）、ポリオキシエチレンラウリルエーテルホスフェート、線状アルコールエトキシホスフェート、ポリエチレンフェニルエーテルホスフェート、ジアルキルフェノールリン酸エステル又はそれらの任意の組み合わせからなる群より選択されるエトキシル化リン酸エステルを含む；前記第２の添加剤が、ポリエチレングリコールフェニルエーテルホスフェートを含む；前記第２の添加剤が、ポリエチレングリコールフェニルエーテルホスフェートから本質的になる；前記第１の添加剤が、約−４５℃から約−２５℃にわたる融点、約２３０℃から約２６５℃にわたる沸点（４ｍｍＨｇで）、少なくとも約３７５℃である引火点、約１．１から約１．２５にわたる比重（２５℃で）、及び約０．５ｍｇ  ＫＯＨ／（当該第１の添加剤のｋｇ）未満の酸価を示す；前記第２の添加剤が、約９０から約１１５ｍｇ  ＫＯＨ／（当該第２の添加剤のｋｇ）にわたる酸価（第１の変曲点までのＫＯＨ）及び約１５％未満の非イオン分を示す；前記第１の添加剤、前記第２の添加剤、又は両方が、前記流体組成物の約０．００５から約０．７重量部の量で存在する；前記１つ又はそれ以上の添加剤が、その１つ又はそれ以上の添加剤の約０．５重量部から約２重量部の量で存在する腐食防止剤（corrosion inhibitor）を含む；前記１つ又はそれ以上の添加剤が、酸化防止剤、消泡剤、ｐＨ安定剤、又はそれらの任意の組み合わせをさらに含む；前記グリコール成分が、式：
【化１】
2011500919.tif 000003
（式中、Ｒ１は、Ｈ、又は１から８個の炭素原子を含有するアルキル基、又はそれらの混合物である）
を含み、前記グリコール成分が、式中、Ｒ２、Ｒ３、Ｒ４及びＲ５の少なくとも１つが、１から８個の炭素原子を含有するアルキル基である、少なくとも１つのグリコールを含む；前記グリコール成分が、Ｒ２、Ｒ３、Ｒ４及びＲ５がそれぞれＨである少なくとも１つのグリコールを含む；前記グリコール成分が、Ｒ２、Ｒ３、Ｒ４及びＲ５がそれぞれＨである少なくとも１つの第１の繰返し単位と、Ｒ２、Ｒ３、Ｒ４及びＲ５の少なくとも１つ（例えば、１つ、２つ、３つ、又は４つ全て）が、それぞれ、１から８個の炭素原子を含有するアルキル基である、少なくとも１つの第２の繰返し単位とを有する、少なくとも１つのグリコールを含む；前記少なくとも１つのグリコールが、ｎ＝２の場合にはグリコール成分の約０．２５重量部から約１０重量部の量で存在するグリコール、及びｎ＝４又はそれ以上の場合にはグリコール成分の約０重量部から約３０重量部の量で存在するグリコールを含む；前記組成物にはグリコールホウ酸エステルを実質的に含まない；前記流体組成物が、式：
【化２】
2011500919.tif 000004
（式中、各Ｒ１、Ｒ２、Ｒ３、Ｒ４及びＲ５は、独立して、Ｈ、又は１から８個の炭素原子を含有するアルキル基、又はそれらの混合物であり、ｎは、１から４である）を含む、約０．１重量部から約７０重量部のグリコールホウ酸エステルをさらに含む；ｎ＝３を有するホウ酸エステルの量が、ホウ酸エステルの約９０重量部より多く、ｎ＝２を有するホウ酸エステルの量が、ホウ酸エステルの約０．５重量部から約５．０重量部であり、及びｎ＝４を有するホウ酸エステルの量が、ホウ酸エステルの約０又は０．１重量部から約１５重量部である；ｎ＝３を有するグリコール成分の量が、グリコール成分の約４０重量部より多く、ｎ＝２を有するグリコール成分の量が、グリコール成分の約０．５重量部から約５．０重量部であり、及びｎ＝４又はそれ以上を有するグリコール成分が、グリコール成分の約５重量部から約１５重量部である；前記グリコール成分が、１つ又はそれ以上の高純度グリコール成分を含む；前記グリコール成分の約０．５重量部から約１０重量部が、４個の炭素原子を含有するＲ１及びｎ＝２を有し、前記グリコール成分の約４０重量部から約６０重量部が、１個の炭素原子を含有するＲ１及びｎ＝３を有し、前記グリコール成分の約５重量部から約１５重量部が、４個の炭素原子を含有するＲ１及びｎ＝３を有し、前記グリコール成分の約５重量部から約１５重量部が、４個の炭素原子を含有するＲ１及びｎ＝４又はそれ以上を有し、１つ又はそれ以上の添加剤の約０．３重量部から約１０重量部が、ホスフェート分を含み、ならびにその機能性流体組成物が、ＡＳＴＭ  Ｄ  ２６７０（１分間の１００ｌｂでのならし運転、３０分間の２００ｌｂの荷重）に従って約０．１ｍｍから約０．３ｍｍにわたる平均痕幅、又はＡＳＴＭ  Ｄ  ２６７０（１分間の１００ｌｂでのならし運転、３０分間の２００ｌｂの荷重）に従って約８未満の平均歯数を示す；前記機能性流体組成物にはシリコーンを含まず；前記流体動力システムが、制動システム（ブレーキシステム、brake system）である；前記１つ又はそれ以上の添加剤が、少なくとも１つの腐食防止剤をさらに含み、その少なくとも１つの腐食防止剤が、その添加剤成分の約０．００５から約５重量部で存在する。
【０００８】
本発明のもう１つの態様は、（ｉ）リン酸のエステルを含む第１の添加剤及び（ｉｉ）エトキシル化リン酸エステルを含む第２の添加剤の少なくとも一方を約５重量部から約７５重量部と；（ａ）プロパンジアミン及びキシレン、（ｂ）ヒドロキシエチルピペラジン、（ｃ）ドデセニルコハク酸無水物、（ｄ）ジ−（２−エチルヘキシル）リン酸、（ｅ）ポリ（ジエトキシシロキサン）、（ｅ）オレイン酸、及び（ｆ）プロピレングリコール及びｂｏｒａｘ  ５ｍｏｌ成分のうちの少なくとも１つを含む２つ以上の腐食防止剤を約３０重量部から約９９重量部、とを含む、流体動力システムにおいて潤滑性を付与するための添加剤パッケージに関し；この場合、前記第１の添加剤は、約−４５℃から約−２５℃にわたる融点、約２３０℃から約２６５℃にわたる沸点（４ｍｍＨｇで）、少なくとも約３７５℃未満である引火点、約１．１から約１．２５にわたる比重（２５℃で）、及び約０．５ｍｇＫＯＨ／ｋｇ未満の酸価を示し；前記第２の添加剤は、約９０から約１１５にわたる酸価（第１の変曲点までのＫＯＨ）及び約１５％未満の非イオン分を示し；ならびに機能性流体組成物が、前記添加剤パッケージを含み、前記機能性流体組成物が、ＡＳＴＭ  Ｄ  ２６７０（１分間の１００ｌｂでのならし運転、３０分間の２００ｌｂの荷重）に従って約０．３５ｍｍ未満の平均痕幅、ＡＳＴＭ  Ｄ  ２６７０（１分間の１００ｌｂでのならし運転、３０分間の２００ｌｂの荷重）に従って約１５未満の平均歯数、又は両方を示す。
【０００９】
本発明のこの態様は、次の特徴の１つ又は任意の組み合わせをさらに特徴とし得る：前記第１の添加剤が、トリクレジルホスフェートから本質的になる；前記第２の添加剤が、ポリエチレングリコールフェニルエーテルホスフェートから本質的になる。
【００１０】
本発明のさらなる態様は、約５０重量部から約９９重量部のグリコール成分と、約０．３重量部から約１０重量部の１つ又はそれ以上の添加剤とを含む、金属／ゴム接点を有する流体動力システムにおいて潤滑性を付与するための機能性流体組成物に関し；この場合、前記機能性流体は、前記グリコール成分が、前記機能性流体の総重量に基づき約１０重量％から約３０重量％の濃度で約５００の平均分子量を有するポリエチレン−プロピレングリコールモノメチルエーテルを含むこと、又は前記１つ又はそれ以上の添加剤は、前記機能性流体の総重量に基づき約０．０２重量％から約０．５重量％の濃度でオレイン酸を含むこと、のいずれか又は両方をさらに特徴とし；前記１つ又はそれ以上の添加剤は、ポリエチレンフェニルエーテルホスフェートを場合によっては含有し、前記機能性流体には場合によってはシリコーンを含まず、前記グリコール成分が、前記機能性流体の総重量に基づき約２５重量％より高い濃度で存在するメトキシトリグリコールを含み、及び前記機能性流体は、次の特徴：約０．３６ｍｍ未満の平均痕幅、約１０未満の歯数、約２５０℃より高いＥＲＢＰ、又は−４０℃で約８００ｃＳｔ未満の粘度、の１つ又は任意の組み合わせを有する。
【００１１】
本発明のプロセス態様は、流体動力システムの１つ又はそれ以上のゴム製部品と、シリコーンを含まず、且つ、ホスフェート分を含む約０．３重量部から約１０重量部の１つ又はそれ以上の添加剤を含む機能性流体組成物とを接触させる段階を含む、潤滑性を付与するための方法に関し、この場合、前記機能性流体組成物は、ＡＳＴＭ  Ｄ  ２６７０（１分間の１００ｌｂでのならし運転、３０分間の２００ｌｂの荷重）に従って約０．０５ｍｍから約０．４５ｍｍにわたる平均痕幅、及び／又はＡＳＴＭ  Ｄ  ２６７０（１分間の１００ｌｂでのならし運転、３０分間の２００ｌｂの荷重）に従って約１５未満の平均歯数を示す。
【００１２】
本発明のもう１つの態様は、本明細書に記載するとおりの機能性流体組成物及び／又は添加剤パッケージを含む制動システムに関する。そのような制動システムは、ブースタを含まない（free of booster）ことをさらに特徴とし得る。
【００１３】
本発明のさらにもう１つの態様は、本明細書に記載するとおりの機能性流体組成物及び／又は添加剤パッケージの制動システムにおける使用に関する。そのような制動システムは、ブースタを含まないことをさらに特徴とし得る。
【発明を実施するための形態】
【００１４】
本発明は、特性のユニークな組み合わせを有する改善された組成物を意図しており、これらの特性が、それを、多数の用途において、特に作動液用途において、作動流体（例えば、流体が、約５０℃より高い温度、又は約１００℃より高いことさえある温度に流体を曝露される場合があり、その温度で液体状態のままであり得る、密封及び／又は密閉システム内に存在する流体）、例えばブレーキ液、として適するものにする。より詳細には、本発明の流体組成物は、その主成分としてグリコール系成分を用い、及び好ましくは１つ又はそれ以上の添加剤も含む。驚くべきことに、本組成物を本明細書に記載するように用いると、それらの流体は、高い潤滑性、高い乾燥平衡還流沸点（equilibrium reflux boiling point）（ＥＲＢＰ）、低温粘度、１分間の４５．４ｋｇでのならし運転、続いて３０分間の９０．９ｋｇの荷重でＡＳＴＭ  Ｄ  ２６７０に従って測定して低い平均痕幅、及び／又は（１分間の４５．４ｋｇでのならし運転、続いて３０分間の９０．９ｋｇの荷重で）ＡＳＴＭ  Ｄ  ２６７０に従って測定して少ない平均歯数（このような特性の全てが、本明細書に記載するような好ましい特性と一致している）を示す。より具体的には、本発明は、グリコール、アルコキシグリコール、又は両方のグリコール成分と、ホスフェート分（例えば、リン酸のエステル及び／又はエトキシル化リン酸エステル）を含む添加剤とを用い、これらが一緒に、上の表の規定のもとでＤＯＴ  ３又はＤＯＴ４ブレーキ液の一方又は両方についての規定を満たすブレーキ液として使用することができる流体を生じさせる。例として、グリコール系主成分（例えば、アルコキシトリグリコール、例えばメトキシトリグリコール、ブトキシトリグリコール又は両方、ならびに場合によってはアルコキシル化ポリエチレン−プロピレングリコール及び／又はアルコキシル化ポリプロピレングリコールを含む、グリコール成分）と併用で、リン酸のエステル（例えば、芳香族リン酸エステル、例えばトリクレジルホスフェート）を含む（もしくは、から本質的になる、もしくは、さらに（even）、からなる）第１の添加剤、又はエトキシル化リン酸エステル（例えば、エトキシル化リン酸エステル及び／もしくはプロポキシル化リン酸エステルを含むもの、例えば、ポリオキシエチレンオクタダデセニルエーテルホスフェート、ポリオキシエチレンラウリルエーテルホスフェート、線状アルコールエトキシホスフェート、ポリエチレンフェニルエーテルホスフェート、ジアルキルフェノールリン酸エステル、もしくはそれらの任意の組み合わせ）を含む（もしくは、から本質的になる、もしくは、さらに、からなる）第２の添加剤、の一方又は両方を本発明の組成物として用いると、（例えば、シリコーンを含まない場合もあるブレーキ液組成物において）予想外に良好な結果を得ることができると考えられる。
【００１５】
理論により拘束されるものではないが（without beyond bound by theory）、ホスフェート分を含む添加剤（例えば、第１の添加剤及び／又は第２の添加剤）を使用することにより、前記流体の潤滑性が改善される、及び平均痕幅が減少される、及び／又は平均歯数が減少されると考えられる。そのような添加剤は、流体が膨張し得る、及び流体が繰返しの運転（例えば、同じ領域での１、２もしくは３段階より多い形成段階、及び／又は流体が約５０℃より高いもしくは約１００℃より高い温度に繰り返し曝露されない）に曝されない開放システムにおいて一般に行われる金属工作作業、例えば、金属圧延及び金属成形の際に作動流体として使用されている。ホスフェート分を含む耐摩耗性添加剤は、他の用途でも、例えば、高濃度の冷媒（例えば、典型的に６０℃未満、好ましくは約５０℃未満又はさらに３０℃未満の沸点を有する、フッ素、炭素ならびに場合によっては他の原子、例えば水素及び塩素を含有するフルオロカーボン）を一般に含有する冷媒組成物でも、使用されている。冷媒系は、典型的に、比較的低圧、例えば約１０、４又はさらには２気圧未満で機能する。制動システムなどのシステムのための機能性流体は、その流体が（例えば、約６０、８０、１００、もしくはさらには１２０℃より高い）高温及び／又は約１０、２０、５０もしくは１００気圧より高い高圧に繰り返し曝露されることから、非常に要求が厳しい。これは、シリコーン系機能性流体組成物と比較してグリコール系機能性流体組成物に特にあてはまる。シリコーン油のほうが元々安定であり、比較的膨張性であるからである。（フッ素、炭素及び場合によっては他の原子を含有するフルオロカーボンなどの冷媒を一般には含まない）ブレーキ液は、繰返しの圧力及び／又は温度サイクルに典型的に曝露される。この流体は、年に１回又はさらにそれ以下の回数しか交換されないこともあるので、前記サイクル数は、相当高い（例えば、１０、１００、１０００又はさらには１００００より大きい）場合がある。加えて、圧力の変化は、全く突然であり得る（例えば、前記流体の一部又はさらには全てが、１秒未満又はさらには０．１秒未満の時間に２気圧未満から１０気圧より大きい気圧に圧力が増すことがある）。時には周囲条件付近又は周囲条件で開始することもある温度（典型的に約３０℃未満であるが、約０℃未満である場合もあり、約−３０℃未満である場合さえある）の変化も相当激しい場合がある。（本明細書に記載するような）ホスフェート分を含有する添加剤は、繰返しの圧力負荷及び除荷、繰返しの熱加熱（例えば、可動部品と制動部品の間の摩擦のため）を経験するブレーキ液などの要求の厳しい用途において、耐摩耗性をはじめとする驚くべき利点をもたらすことが判明した。これらの結果は、上で説明したような温度及び圧力変化を繰返し経験する密閉、密封システムである制動システムにおいて使用されるグリコール系機能性流体（例えば、冷媒及び／又はシリコーンを実質的に含まない、又は完全に含まないことさえある流体）では予想外であると考えられる。
【００１６】
本発明の機能性流体は、次のものの１つ又は任意の組み合わせを含むことができる：
（ａ）組成物の総重量に基づき約５０重量部から約９９重量部のグリコール成分；
（ｂ）場合により、全組成物の重量に基づき約０重量部から約７０重量部のグリコールホウ酸エステル成分；及び
（ｃ）全組成物の重量に基づき約０．３０重量部から約１０重量部の添加剤成分（例えば、ホスフェート分を含む添加剤成分）。
【００１７】
前記グリコール成分は、１つ、２つ、３つ又はそれ以上のグリコール、ポリグリコール、又は両方から、一部、実質的に全面的に（少なくとも９０重量％もしくは少なくとも９５重量％）又は全面的に成り得る。好ましくは、前記グリコール成分のグリコール又はポリグリコールは、繰返し単位：
【化３】
2011500919.tif 000005
を伴う式Ｉの式：
【化４】
2011500919.tif 000006
を有する。
【００１８】
Ｒ１、Ｒ２、Ｒ３、Ｒ４、Ｒ５のそれぞれが、水素（Ｈ）であるか、１から８個又はそれ以上の炭素原子を含有するアルキル基であるか、それらの混合物である。例えば、前記グリコール又はポリグリコールは、「Functional Fluid Composition」と題する仮出願番号第６０／９７６，０１０号（２００７年９月２８日出願）に開示されているものなどの、Ｒ２、Ｒ３、Ｒ４、Ｒ５の少なくとも１つが、１から８個又はそれ以上の炭素原子を含有するアルキル基であるものを有する場合がある。前記仮出願は、全ての目的で参照により本明細書に組み込まれる。グリコール又はポリグリコールが、単純にＲ１が（Ｈ）であるグリコールであるのとは対照的にアルコキシグリコールエーテル（例えば、アルキルでエンドキャップされたアルコキシグリコールエーテル）であるように、Ｒ１が、１から８個の炭素原子を含有するアルキル基であることが好ましい。典型的に、前記グリコール成分、前記全流体組成物、又は両方の９０重量％未満、さらに典型的には５０重量％未満、及び場合により３０重量％未満又は２０重量％未満までもについて、Ｒ１は（Ｈ）である。本明細書において用いる場合、式Ｉのポリグリコールが、少なくとも２又はそれ以上のｎを有すること、及び用語グリコールが、全てのポリグリコールを包含することは、理解される。前記グリコール成分が、Ｒ１がアルキル基である式Ｉ又はグリコール（glycols or FORMULA I）及びＲ１がＨである式Ｉを含み得ることも理解されるはずである。
【００１９】
少なくとも２のｎを有する式Ｉのグリコールは、同じである繰返し単位を有することがあり（例えば、ホモポリマー）、異なる繰返し単位を有することがあり（例えば、コポリマー）、又はそれらの組み合わせを有することがある。ポリグリコールコポリマーは、２つ、３つ又はさらには４つもしくはそれ以上の異なる繰返し単位を含むことがある。好ましいコポリマーは、２つの異なる繰返し単位を含有し得る。ポリグリコールコポリマーは、ブロックコポリマー、ランダムコポリマー、交互コポリマー（alternating copolymer）、又は任意の組み合わせとして特徴付けすることができる。ブロックコポリマーは、それぞれの繰返し単位についての１つのブロックを有するコポリマーである場合があり、ならびに繰返し単位の１つの又はさらにはそれぞれについての多数のブロックを有するコポリマーである場合もある。ブロックは、同じ繰返し単位の連続配列（例えば、３、４、５、又はそれ以上）の長い連なりと定義することができる。適するポリグリコールコポリマーとしては、ランダムコポリマー、例えば、同じ繰返し単位の連続配列（例えば、３、４、５、又はそれ以上）の長い連なりのブロックを実質的に含まない（例えば、そのコポリマーの繰返し単位の約２０モル％未満、又はさらには１０モル％未満がブロック状態である）、又は完全に含まないことさえあるコポリマーが挙げられる。限定ではなく、例示的グリコールとしては、繰返し単位が、エチレンオキシド（ＣＨ２−ＣＨ２−Ｏ）、プロピレンオキシド（例えば、ＣＨ（ＣＨ３）−ＣＨ２−ＯもしくはＣＨ２−ＣＨ（ＣＨ３）−Ｏ）、又はそれらの組み合わせであるものが挙げられる。
【００２０】
前記グリコール成分は、ｎ＝１の場合のグリコールの量を含むことがある。含まれるとき、そのようなグリコールは、グリコール成分の少なくとも約５重量％である。さらに、そのようなグリコールは、グリコール成分の典型的には約３０重量％未満、さらに典型的には約２０重量％未満、及びさらにいっそう典型的には約１５重量％未満である。好ましくは、前記グリコール成分のグリコールは、ｎ＝２の場合のグリコール（例えば、アルコキシグリコール）、ｎ＝３の場合のグリコール（例えば、アルコキシグリコール）、ｎ＝４もしくはそれ以上の場合のグリコール（例えば、アルコキシグリコール）、又はそれらの任意の混合物を含む。さらに好ましいグリコール成分は、ｎ＝２、ｎ＝３、及びｎ＝４又はそれ以上を有するグリコール（例えば、アルコキシグリコール）の組み合わせ（例えば、混合物）を含むことがある。ｎ＝２又はそれ以上の場合のグリコールが、グリコール成分及び／又は全機能性流体中に、そのグリコール成分、その全機能性流体又は両方の少なくとも約５０重量部、さらに典型的には少なくとも約６０重量部及びさらに典型的には少なくとも約７５重量部である量で存在することも好ましい。ｎ＝２又はそれ以上の場合のグリコールが、グリコール成分及び／又は全機能性流体中に、約９９重量部未満、さらに典型的には約９０重量部未満、及びさらにいっそう典型的には約８５重量部未満であるある量で存在することも好ましい。
【００２１】
前記グリコール成分は、Ｒ２、Ｒ３、Ｒ４及びＲ５がそれぞれＨである１つ以上の第１のグリコール（例えば、第１のポリグリコール）の量を典型的に含む。含まれるとき、そのような第１のグリコールは、グリコール成分の少なくとも約３重量％、さらに典型的には少なくとも約１０重量％、及びさらにいっそう典型的には少なくとも約２０重量％である。さらに、そのような第１のグリコールは、グリコール成分の典型的には約８０重量％未満、さらに典型的には約５０重量％未満、及びさらにいっそう典型的には約３０重量％未満である。そのような第１のグリコールについて、ｎは、少なくとも１であるが、好ましくは、ｎは、２又はそれ以上である。ｎ＝２の場合の第１のグリコールの量は、典型的に、重量でその第１のグリコールの約０．２５重量部から約２０．００重量部である。ｎ＝３の場合の第１のグリコールの量は、典型的に、その第１のグリコールの約２５．０重量部から約９９．５重量部である。ｎ＝４の場合の第１のグリコールの量は、典型的に、その第１のグリコールの約０又は０．１重量部から約１５重量部である。当然のことながら、特に別の指定が無い限り、より高い又はより低い全第１のグリコール量、及び異なるｎ値を有する第１のグリコールの特定の量を用いてもよい。
【００２２】
前記グリコール成分は、Ｒ２、Ｒ３、Ｒ４及びＲ５の少なくとも１つ（及び好ましくは１つだけ）、しかしまた場合により２つ、３つ又は４つ全てが、それぞれ、１から８個の炭素原子を含有するアルキル基である、１つ又はそれ以上の第２のグリコール（例えば、第２のポリグリコール）のある量（an amount of）を場合によっては含むことがある。好ましい第２のグリコール（１つのグリコールである場合もあり、又はグリコールの混合物である場合もある）は、Ｒ２又はＲ３基を含み、及びさらに好ましくは、メチル、エチル、プロピル、ブチル又はそれらの任意の組み合わせを含むＲ４又はＲ５を含む。さらに、好ましい第２のグリコールは、Ｒ２又はＲ３基を含み、及びさらに好ましくは、メチル又はエチル基を含むＲ４又はＲ５基を含む。さらにいっそう好ましい第２のグリコールは、Ｒ２又はＲ３基を含み、及びさらに好ましくは、メチル基を含むＲ４又はＲ５基を含む。含まれるとき、そのような第２のグリコールは、グリコール成分の少なくとも３重量％、さらに典型的には少なくとも約１０重量％、及びさらにいっそう典型的には少なくとも約２０重量％である。さらに、そのような第２のグリコールは、グリコール成分の典型的には約８０重量％未満、さらに典型的には約５０重量％未満、及びさらにいっそう典型的には約３０重量％未満である。そのような第２のグリコールについて、ｎは、少なくとも１であるが、好ましくは、ｎは、２又はそれ以上である。ｎ＝２の場合の第２のグリコールの量は、典型的に、重量でその第２のグリコールの約０．２５重量部から約１０．００重量部である。ｎ＝３の場合の第２のグリコールの量は、典型的に、その第２のグリコールの約２５．０重量部から約９９．５重量部である。ｎ＝４の場合の第２のグリコールの量は、典型的に、その第２のグリコールの約０又は０．０１重量部から約１５重量部である。当然のことながら、特に別の指定が無い限り、より高い又はより低い全第２のグリコール量、及び異なるｎ値を有する第２のグリコールの特定の量を用いてもよい。
【００２３】
前記グリコール成分は、コポリマーである１つ又はそれ以上の第３のグリコール（例えば、第３のポリグリコール）のある量を場合によっては含むことがある。そのようなコポリマーは、ブロックコポリマーである場合もあり、及び／又はランダムコポリマーである場合もある。従って、（１つのグリコールである場合もあり、又はグリコールの混合物である場合もある）いずれの第３のグリコールも、第１の立体配置を有する式Ｉの１つ又はそれ以上の第１の繰返し単位と、第２の立体配置を有する１つ又はそれ以上の第２の繰返し単位とを典型的に含む。特に、前記第３のグリコールは、Ｒ２、Ｒ３、Ｒ４及びＲ５がそれぞれＨである式Ｉの少なくとも１つの第１の繰返し単位を典型的に含む。前記第３のグリコールは、Ｒ２、Ｒ３、Ｒ４及びＲ５の少なくとも１つ及び典型的に１つだけ、しかしまた場合により２つ、３つ又は４つ全てが、それぞれ、１から８個の炭素原子を含有するアルキル基である、少なくとも１つの第２の繰り返し単位も典型的に含む。前記第３のグリコールの好ましい第２の繰返し単位は、Ｒ２又はＲ３基を含み、及びさらに好ましくは、メチル、エチル、プロピル、ブチル又はそれらの任意の組み合わせを含むＲ４又はＲ５を含む。前記第３のグリコールのさらに好ましい第２の繰返し単位は、Ｒ２又はＲ３基を含み、及びさらに好ましくは、メチル又はエチル基を含むＲ４又はＲ５基を含む。前記第３のグリコールのさらにいっそう好ましい第２の繰返し単位は、Ｒ２又はＲ３基を含み、及びさらに好ましくは、メチル基を含むＲ４又はＲ５基を含む。含まれるとき、そのような第３のグリコールは、グリコール成分の少なくとも約３重量％、さらに典型的には少なくとも約１０重量％、及びさらにいっそう典型的には少なくとも約２０重量％である。さらに、そのような第３のグリコールは、グリコール成分の典型的には約８０重量％未満、さらに典型的には約５０重量％未満、及びさらにいっそう典型的には約３０重量％未満である。そのような第３のグリコールについて、ｎは、少なくとも２又はそれ以上である。ｎ＝２の場合の第３のグリコールの量は、典型的に、重量でその第３のグリコールの約０．２５重量部から約１０．０重量部である。ｎ＝３の場合の第３のグリコールの量は、典型的に、その第３のグリコールの約２５．０重量部から約９９．５重量部である。ｎ＝４の場合の第３のグリコールの量は、典型的に、その第３のグリコールの約０又は０．０１重量部から約１５重量部である。当然のことながら、特に別の指定が無い限り、より高い又はより低い全第３のグリコール量、及び異なるｎ値を有する第３のグリコールの特定の量を用いてもよい。
【００２４】
有利なことに、言及したそれぞれのタイプのグリコール、しかし特に第２のグリコール及び第３のグリコール、の使用は、驚くべきことに、前記流体の様々な特性の獲得を助長する。そのような特性としては、限定ではないが、より高い沸点、より低い粘度、より大きな潤滑性、それらの組み合わせなどを挙げることができる。好ましくは、前記グリコール成分は、（例えば、１つもしくはそれ以上の）第２のグリコール、（１つもしくはそれ以上の）第３のグリコール、又は両方を含む。前記第２のグリコール、前記第３のグリコール、又は前記第２のグリコールと第３のグリコールの組み合わせの量は、流体組成物の総重量に基づき約５重量％より多い、好ましくは約１０重量％より多い、及びさらに好ましくは約１５重量％より多いことがある。前記第２のグリコール、前記第３のグリコール、又は前記第２のグリコールと第３のグリコールの組み合わせの量は、流体組成物の総重量に基づき約９０重量％未満、好ましくは約７０重量％未満、さらに好ましくは約５０重量％未満、及び最も好ましくは約３５重量％未満である場合がある。当然のことながら、より高い又はより低い前記第２のグリコール量、前記第３のグリコール量、又は前記第２のグリコールと第３のグリコールの組み合わせの量を用いてもよい。
【００２５】
前記グリコール成分の適するＲ１基は、１から８個の炭素原子を含有するアルキル基である。好ましいグリコール成分は、メチル、エチル、プロピル、ブチル又はそれらの任意の組み合わせを含むＲ１基を含む。
【００２６】
有用なグリコール（例えば、アルコキシグリコール又は別のもの）の、限定ではなく、例としては、メトキシトリグリコール、メトキシジグリコール、メトキシポリグリコール、エトキシトリグリコール、エトキシジグリコール、エトキシテトラグリコール、プロポキシトリグリコール、ブトキシトリグリコール（例えば、トリエチレングリコールモノブチルエーテル）、ブトキシジグリコール（例えば、ジエチレンングリコールモノブチルエーテル）、ブトキシテトラグリコール、ペントキシジグリコール、ペントキシトリグリコール、２−エチルヘキシルジグリコール、又はそれらの任意の組み合わせが挙げられる。
【００２７】
前記グリコール成分の好ましいグリコール（例えば、アルコキシグリコール）としては、限定ではないが、メトキシトリグリコール、メトキシジグリコール、メトキシポリグリコール、メトキシテトラグリコール、エトキシポリグリコール、エトキシトリグリコール、エトキシジグリコール、エトキシテトラグリコール、ブトキシポリグリコール、ブトキシトリグリコール、ブトキシジグリコール、ブトキシテトラグリコール、トリエチレングリコールモノヘキシルエーテル、ジエチレングリコールモノプロピルエーテル、トリエチレングリコールモノプロピルエーテル、ジプロピレングリコールモノメチルエーテル、ジプロピレングリコールモノプロピルエーテル、トリプロピレングリコールモノプロピルエーテル、ジプロピレングリコールモノブチルエーテル、トリプロピレングリコールモノブチルエーテル、ポリプロピレングリコールモノブチルエーテル、ポリプロピレングリコールモノプロピルエーテル、又はそれらの任意の組み合わせが挙げられる。さらに好ましいアルコキシグリコール成分は、メトキシトリグリコール、メトキシジグリコール、メトキシポリグリコール、ブトキシトリグリコール、ブトキシジグリコール、ブトキシポリグリコール、トリエチレングリコールモノヘキシルエーテル、ジエチレングリコールモノプロピルエーテル、トリエチレングリコールモノプロピルエーテル、ジプロピレングリコールモノメチルエーテル、ジプロピレングリコールモノプロピルエーテル、トリプロピレングリコールモノプロピルエーテル、ジプロピレングリコールモノブチルエーテル、トリプロピレングリコールモノブチルエーテル、ポリプロピレングリコールモノプロピルエーテル、ポリプロピレングリコールモノブチルエーテル、又はそれらの任意の組み合わせが挙げられる。最も好ましいアルコキシグリコール成分は、メトキシポリグリコール、ブトキシジグリコール、ブトキシトリグリコール、ブトキシポリグリコール、トリエチレングリコールモノプロピルエーテル、トリプロピレングリコールモノプロピルエーテル、トリプロピレングリコールモノブチルエーテル、ポリプロピレングリコールモノプロピルエーテル、又はポリプロピレングリコールモノブチルエーテルのうちの２つ又はそれ以上の混合物を含む。
【００２８】
有用なグリコール（例えば、アルコキシグリコールなど）のさらなる例としては、限定ではないが、ジエチレングリコールモノプロピルエーテル、トリエチレングリコールモノプロピルエーテル、ジプロピレングリコールモノメチルエーテル、ジプロピレングリコールモノプロピルエーテル、トリプロピレングリコールモノプロピルエーテル、ジプロピレングリコールモノブチルエーテル、ジプロピレングリコールモノメチルエーテル、トリプロピレングリコールモノエチルエーテル、トリプロピレングリコールモノプロピルエーテル、トリプロピレングリコールモノブチルエーテル、ポリプロピレングリコールモノプロピルエーテル、ポリプロピレングリコールモノブチルエーテル、ポリブチレングリコールモノプロピルエーテル、ポリブチレングリコールモノブチルエーテル、それらの任意の組み合わせなどが挙げられる。
【００２９】
限定ではないが、有用なアルコキシグリコールの調製方法としては、アルキレンオキシドとアルコールを反応させてアルキルグリコールを生成させるアルコキシル化反応が挙げられる。
【００３０】
１つの態様において、前記グリコール成分における高純度アルコキシグリコールの使用は好ましい。例えば、高純度アルコキシグリコールの使用により、適する低温粘度を達成することができる。詳細には、高純度ブトキシトリグリコール及びブトキシジグリコールを個々に使用して、又は併用して、所望の低温粘度の維持を助長することができる。１つの態様において、高純度アルコキシグリコールは、少なくとも約９０％の純度（すなわち、この高純度アルコキシグリコールは、少なくとも約９０重量％が同じ分子構造を有する分子からなる）；少なくとも約９７％の純度、又は少なくとも約９８％の純度である。１つの好ましい実施形態では、高純度ブトキシトリグリコール及び高純度ブトキシジグリコールが、本流体組成物に用いられ、ならびに好ましくはそのグリコール成分の少なくとも５０重量％及びさらに好ましくは少なくとも７５重量％である。
【００３１】
前記流体組成物は、ホウ酸エステルも含むことがあるが、好ましくは、その流体組成物の重量に基づき約１０重量部より多くのホウ酸エステル（例えば、グリコールホウ酸エステル）を含まない。適する流体組成物には、グリコールホウ酸エステルを実質的に含まないこともあり、又は完全に含まないことさえある。用いられるとき、前記グリコールホウ酸エステル成分は、繰返し単位：
【化５】
2011500919.tif 000007
を伴う、式：
【化６】
2011500919.tif 000008
を有する少なくとも１つの成分を好ましくは含み、
【００３２】
これらの式中、Ｒ１、Ｒ２、Ｒ３、Ｒ４及びＲ５は、式Ｉに関して指定したとおりの基のいずれかであり得、ならびにｎは、式Ｉに関して指定したとおりであり得る（例えば、Ｒ１、Ｒ２、Ｒ３、Ｒ４及びＲ５は、独立して、Ｈ、又は１から８個の炭素原子を含有するアルキル基、又はそれらの混合物であり得、ならびにｎは、１から４にわたり得る）。従って、前記グリコールホウ酸エステル成分は、本明細書において式Ｉに関して論じたように、グリコール成分の第１のグリコール、グリコール成分の第２のグリコール、グリコール成分の第３のグリコール、又はそれらの任意の組み合わせの繰返し単位のいずれかを有し得る。前記グリコールホウ酸エステル成分及び任意のボラート含有化合物が、グリコール成分の一部と見なされず、むしろ独立していることも理解されたい。
【００３３】
任意のグリコールホウ酸エステル成分の例としては、参照により本明細書に組み込まれる２０００年１１月１０日出願の米国特許第６，５５８，５６９号に開示されている（例えば、第３欄の１３〜４０行目参照）アルコキシグリコールホウ酸エステル成分、例えば、メトキシトリエチレングリコールホウ酸エステル、エトキシトリエチレングリコールホウ酸エステル、ブトキシトリエチレングリコールホウ酸エステル又はそれらの任意の組み合わせが挙げられる。ホウ酸エステル成分が本組成物中に存在する場合、それは、好ましくは、その機能性流体の０．０１重量部より多い又は１重量部より多い量で存在するが、同じく好ましくは、その機能性流体の約１０重量部未満の量で存在する。さらに好ましくは、前記ホウ酸エステル成分は、本組成物中にその機能性流体の約４重量部未満の量で存在する。１つの実施形態において、本発明の機能性流体組成物には、一切のホウ酸エステル成分を実質的に含まない（その機能性流体の約０．５重量％未満）又は完全に含まない。
【００３４】
グリコールボラート成分が本組成物中にあるとき、それは、典型的に、グリコール基がその組成物の実質的な部分に相当する場合である。本明細書において定義するような、そのようなグリコール基は、式Ｉ及び式ＩＩの一部分であって、それらの式の（Ｈ）水素原子又は（Ｂ）ホウ素原子に付いている（attached to）部分である。従って、そのようなグリコール基は、次のとおりであり得る：
【化７】
2011500919.tif 000009
【化８】
2011500919.tif 000010
【００３５】
これらのグリコール基は、全組成物の少なくとも約５０重量％、さらに典型的には少なくとも約６０重量％、さらにいっそう典型的には少なくとも約８０重量％に相当し、及び場合により少なくとも約９０％に相当することさえある。
【００３６】
述べたように、本発明の組成物は、制動システムの潤滑性を改善するための、ホスフェート分（例えば、少なくとも１つのリン酸エステル）を有する１つ又はそれ以上の添加剤を含む任意の添加剤パッケージをさらに意図している。従って、前記添加剤成分添加剤は、限定ではないが、腐食防止剤、安定剤、例えばｐＨ安定剤、潤滑剤、耐磨耗剤、消泡剤及び酸化防止剤の１つ又は任意の組み合わせを典型的に含む１つ又はそれ以上の添加剤を含む場合がある。前記添加剤成分は、存在する場合、本機能性流体の典型的には少なくとも約０．０５重量部、さらに典型的には少なくとも約０．１重量部、及びさらにいっそう典型的には少なくとも約０．３重量部である。前記添加剤成分は、存在する場合、本機能性流体の典型的には約２０重量部未満、さらに典型的には１５重量部未満、及び場合により約１０重量部未満でさえある。
【００３７】
ここでの１つ又はそれ以上の添加剤が、ホスフェート分を有する場合があることは、上に述べたことから理解される。例えば、１つの好ましいアプローチは、その添加剤成分の少なくとも０．００５、さらに特に少なくとも約０．０１、及びさらにいっそう特に少なくとも約０．１重量部の量で存在する、ホスフェート分を有する１つ又はそれ以上の添加剤を有することである。しかし、ホスフェートを含む１つ又はそれ以上の添加剤の総濃度は、その添加剤成分の約０．７重量部未満、さらに特に０．５重量部未満、及びさらに特に約０．４重量部未満であろうと一般には予想される。
【００３８】
本発明の添加剤パッケージは、（ｉ）リン酸のエステルを含む第１の添加剤及び（ｉｉ）エトキシル化リン酸エステルを含む第２の添加剤のうちの少なくとも１つを約５重量部から約７５重量部（例えば、その添加剤パッケージの総重量に基づき約５重量％から約７５重量％）、ならびに（ａ）プロパンジアミンとキシレン、（ｂ）ヒドロキシエチルピペラジン、（ｃ）ドデセニルコハク酸無水物、（ｄ）ジ−（２−エチルヘキシル）リン酸、（ｅ）ポリ（ジエトキシシロキサン）、（ｅ）オレイン酸及び（ｆ）プロピレングリコールとｂｏｒａｘ  ５ｍｏｌ成分、のうちの少なくとも１つを含む２つ又はそれ以上の腐食防止剤を約３０重量部から約９９重量部（例えば、その添加剤パッケージの総重量に基づき約３０重量％から約９９重量％）含む場合がある。
【００３９】
前記添加剤成分での使用についての１つの好ましい例において、ホスフェート分を有する１つ又はそれ以上の添加剤は、リン酸エステルを有する第１の添加剤を含む。前記リン酸エステルは、芳香族リン酸エステルであってもよく、脂肪族リン酸エステルであってもよく、又はそれらの組み合わせであってもよい。限定ではないが、前記リン酸エステルは、芳香族リン酸エステル、例えば、リン酸トリス（メチルフェニル）エステル（例えば、トリクレジルホスフェート）であり得る。前記第１の添加剤は、約１．１から約１．２５にわたる比重（２０℃で）及び少なくとも約３８０℃（例えば、約３９０から約４３０℃）の引火点を有し得る。前記第１の添加剤は、約−５５℃未満、及びさらに特に約−４５℃未満の融点を示し得る。前記第１の添加剤は、少なくとも約−２５、及びさらに特に少なくとも約−３０℃の融点も示し得る。例えば、前記融点は、約−５５から約−２５、及びさらに好ましくは約−４５から約−３０℃にわたり得る。前記第１の添加剤は、少なくとも約２３０、及びさらに特に少なくとも約２４０℃の沸点（４ｍｍＨｇで）を示し得る。前記第１の添加剤は、約２７０℃未満、及びさらに特に約２６５℃未満の沸点（４ｍｍＨｇで）も示し得る。例えば、前記沸点（４ｍｍＨｇで）は、約２３０から約２７０、及びさらに好ましくは約２４０から２６５℃にわたり得る。前記第１の添加剤は、例えばＡＳＴＭ  Ｄ９７４−０１に従って測定して、約０．５ｍｇ  ＫＯＨ／ｋｇ未満、さらに特に約０．１ｍｇ  ＫＯＨ／ｋｇ未満の酸価を示し得る。
【００４０】
前記添加剤成分での使用についてのもう１つの好ましい例において、ホスフェート分を有する１つ又はそれ以上の添加剤は、アルコキシル化リン酸エステルを有する（又は、からなる）第２の添加剤を含む。適するアルコキシル化リン酸エステルは、限定ではないが、エトキシル化リン酸エステル、プロポキシル化リン酸エステルなど。前記アルコキシル化リン酸エステルは、１つ又はそれ以上の芳香族基（例えば、フェニル基）を含有することがある。例示的なエトキシル化リン酸エステルは、ポリエチレンフェニルエーテルホスフェートである。前記第２の添加剤は、約１．１から約１．３５にわたる比重（２５℃で）、及び少なくとも約１２０℃（例えば、約１３０から約１７０℃）の引火点を有し得る。前記第２の添加剤は、少なくとも約４０、及びさらに特に少なくとも約１０℃の凝固点を示し得る。前記第２の添加剤は、約−５０℃未満、及びさらに特に約−２０℃未満の凝固点も示し得る。例えば、前記凝固点は、約４０から約−５０、及びさらに好ましくは約１０から−２０℃にわたり得る。前記第２の添加剤は、少なくとも約１１０、及びさらに特に少なくとも１４０℃の沸点（７６０ｍｍＨｇで）を示し得る。前記第２の添加剤は、約１９０℃未満、及びさらに特に約１６０℃未満の沸点（７６０ｍｍＨｇで）も示し得る。例えば、前記沸点（７６０ｍｍＨｇで）は、約１１０から約１９０、及びさらに好ましくは約１４０から１６０℃にわたり得る。前記第２の添加剤は、ＡＳＴＭ  Ｄ９７４−０１に従って測定して、約９０から約１１５、及びさらに好ましくは約９０から約１１０にわたる酸価（第１の変曲点までのＫＯＨ）を示し得る。前記第２の添加剤は、約１５％未満、及びさらに好ましくは約７％未満の非イオン分も示し得る。例示的なアルコキシル化リン酸エステルは、ポリエチレンフェニルエーテルホスフェートである。
【００４１】
ホスフェート分を有する、適する添加剤の例としては、限定ではないが、ポリオキシエチレンオクタダデセニルエーテルホスフェート（例えば、ＣＡＳ番号９００４−９８−２、ＣＡＳ番号７６６４−３８−２、又はＲｈｏｄｉａから市販されているＬＵＢＲＨＯＰＨＯＳ（登録商標）ＬＢ−４００）、ポリオキシエチレンラウリルエーテルホスフェート（例えば、ＣＡＳ番号３９４６４−６６−９、又はＲｈｏｄｉａから市販されているＬＵＢＲＨＯＰＨＯＳ（登録商標）ＲＤ−５１０Ｅ）、線状アルコールエトキシホスフェート（例えば、Ｒｈｏｄｉａから市販されているＬＵＢＲＨＯＰＨＯＳ（登録商標）ＬＫ−５００）、ポリエチレンフェニルエーテルホスフェート（例えば、ＣＡＳ番号３９４６４−６９−２）Ｒｈｏｄｉａから市販されている商品名ＬＵＢＲＯＰＨＯＳ（登録商標）ＬＰ−７００で販売されているもの）、ジアルキルフェノールリン酸エステル（例えば、Ｒｈｏｄｉａから市販されているＲｈｏｄｅｆａｃ（登録商標）ＲＭ−５１０）、又はそれらの任意の組み合わせが挙げられる。
【００４２】
米国特許第５，１５２，９２６号（１９９０年９月出願、例えば、第３欄の２９行目から第４欄の２９行目参照）（これは、全ての目的で参照により本明細書に組み込まれる）に開示されているものなどの流体動力システムのための、及び米国特許第４，７４４，９１５号（１９８７年８月２４日出願、例えば、第２欄の５３〜６８行目を参照のこと）（これは、全ての目的で参照により本明細書に組み込まれる）に開示されているものなどのシリコーン機能性成分を有する制動システムのための潤滑性（例えば、耐磨耗特性）を向上するために、ホスフェート分を有する１つ又はそれ以上の添加剤（例えば、第１の添加剤、第２の添加剤、又は両方）を利用できることが意図される。従って、密閉回路（例えば、制動システム）内で加圧された及び移動する流体を使用することによって動力を発生させる、伝達する、及びその使用を制御するシステムなどの流体動力システムに本発明を組み込むことができることは理解される。さらに、シリコーン分を含む機能性流体に組み込むことができる本発明のホスフェート分を有する１つ又はそれ以上の添加剤には、シリコーンを本質的に含まない（例えば、その機能性流体の総重量に基づき約５重量％未満、好ましくは約１重量％未満、さらに好ましくは約０．１重量％未満、及び最も好ましくは約０．０１重量％未満の濃度でシリコーンを含有する）又はシリコーンを含まないことは理解される。
【００４３】
ホスフェート分を有する前記添加剤は、リン酸エステル、リン酸エステル、又は両方であり得る。適するリン酸エステルの例としては、リン酸モノエステル、リン酸ジエステル、リン酸トリエステル、及びそれらの任意の組み合わせが挙げられる。前記リン酸エステルは、１つ又はそれ以上のリン酸トリエステルを含む又はそれらから本質的になる（例えば、そのリン酸エステル又はそのホスフェート含有添加剤の総重量に基づき少なくとも９０重量％又は少なくとも９５重量％含有する）場合がある。前記リン酸エステルには、リン酸トリエステルを実質的に又は完全に含まない場合があり、及び前記リン酸エステルは、リン酸モノエステル、リン酸ジエステル、又は両方を含有する場合がある。
【００４４】
米国特許第４，７５５，３１６号（１９８７年１０月２３日出願）表Ｄには、本機能性流体において使用することができる、ホスフェート分を有する添加剤の以下の例が挙げられている：ホスフェート、リン酸エステル（リン酸ビクレジル）、ホスフィット、チオホスフェート（ジオルガノジチオリン酸亜鉛）塩素化ワックス、及びハロゲン置換リン化合物。ホスフェート分を有する添加剤の追加の例としては、米国特許第５，１５２，９２６号（１９９０年９月１０日出願）に記載されているもの、例えば第３欄の２９行目から第４欄の２９行目参照、が挙げられる。これらの添加剤としては、有機ホスフェート、例えば、Ｌｕｂｒｉｚｏｌ  Ｃｏｒｐｏｒａｔｉｏｎによって製造された（ジアルキルジチオ）リン酸亜鉛であるＬｕｂｒｉｚｏｌ（商標）１０９７；ＳＹＮ−Ｏ−ＡＤ（商標）８４７８、Ｓｔａｕｆｆｅｒ  Ｃｈｅｍｉｃａｌ  Ｃｏｍｐａｎｙによって製造されたトリ（２，４，６−トリ−ｔ−ブチルフェニル）ホスフェート／トリフェニルホスフェートの７０％／３０％ブレンド；エトキシル化リン酸エステル（Ａｎｔａｒａ（商標）ＬＰ−７００タイプ）、リン酸アルコール（ＺＥＬＥＣ  ３３３７タイプ）、及びジアルキルジチオリン酸亜鉛（例えば、Ｌｕｂｒｉｚｏｌ  ５１３９、５６０４、５１７８、５１８６タイプ）が挙げられる。エトキシル化リン酸エステルは、約４から１０パーセント、好ましくは５から７パーセントのリン分を有する水溶性組成物、例えば、ＧＡＦのＡｎｔａｒａ（商標）ＬＰ−７００（ポリオキシエチレンフェニルエーテルホスフェート）であり得る。ホスフェート分を有する追加の添加剤としては、米国特許第４，７４４，９１５号（１９８７年８月２４日出願）、例えば第２欄の５３〜６８行目、に記載されているもの、例えば、リン酸エステル、トリオクチルホスフェート及びトリクレゾールホスフェートが挙げられる。
【００４５】
前記第１の添加剤、前記第２の添加剤、又は両方は、全流体組成物の約０．００５重量部より高い、好ましくは０．０１０重量部より高い、及びさらに好ましくは約０．０３重量部より高い濃度で存在し得る。前記第１の添加剤、前記第２の添加剤、又は両方は、全流体組成物の約２．５重量部未満、好ましくは０．７重量部未満、及びさらに好ましくは約０．３重量部未満の濃度で存在し得る。例えば、前記第１の添加剤、前記第２の添加剤、又は両方は、流体組成物の約０．００５から約０．７重量部の濃度で存在し得る。
【００４６】
さらに、前記１つ又はそれ以上の添加剤が、機能性流体（例えば、ホウ酸エステルを含有する機能性流体）の低温粘度を増加させるために公知の腐食防止剤、例えばアルカノールアミン又はアルキルアミン及び他の有機アミンを含む場合があり、その結果として、より複雑で高価な添加剤、例えば、参照により組み込まれる１９９６年６月２０日出願の欧州特許第０７５００３３号（例えば、２頁５５行目から３頁５６行目参照）及び参照により組み込まれる１９９４年３月９日出願の欧州特許第０６１７１１６号（例えば、２頁１４行目から３頁７行目、及び４頁１〜１６行目参照）に開示されているものの使用を招くことは理解される。少量のホウ酸エステルを使用することにより、本流体組成物は、公知の腐食防止剤を使用して、尚、所望の低温粘度を達成することができる。加えて、腐食防止剤及び添加剤の増量を用いて、低粘度を犠牲にすることなく改善された安定性又は耐腐食性を獲得することができる。含まれるとき、前記腐食防止剤は、その添加剤成分の約０又は約０．００５から約７、及びさらに特に約０．１から約５（例えば、約２から約４）重量部の量で存在し得る。
【００４７】
使用することができる腐食防止剤の例としては、欧州特許第０７５００３３号（１９９６年６月２０日出願）に開示されているもの、例えば、特にホウ酸エステルを中和できるアミン；少なくとも１つのアルキルラジカル、特にＣ１からＣ７、又は脂環式ラジカル、特にＣ５からＣ７、又は、重ねて、特にＣ１からＣ６のアルコキシラジカルを含有するアミン；エトキシル化アミン、例えば、ジ−ｎ−ブチルアミン、トリ−ｎ−ブチルアミン、一般式：ＮＨ（ＣＨ２ＣＨＯＨＣＨ３）２のジイソプロパノールアミン、モノシクロヘキシルアミン、ジシクロヘキシルアミン、２−アミノ−１−エタノール、一般式：ＨＮ（ＣＨ２−ＣＨ２ＯＨ）２のジエタノールアミン、一般式：ＨＮ（ＣＨ２ＯＨ）（ＣＨ２ＣＨ２ＣＨ３）のモノメタノールモノプロピルアミン、もしくはジイソプロピルアミン；サルコシンのＮ−アシル誘導体、例えば、Ｓｒｋｏｓｙｌ  ０（商標）の名でＣｉｂａ  Ｇｅｉｇｙにより市販されているＮ−オレイルアシルサルコシン、ベンゾトリアゾール、トリルトリアゾール、トリフェニルホスフィット、ドデセニルコハク酸無水物、ビスフェノールＡ、又は重合トリメチルキノリンが挙げられる。
【００４８】
欧州特許第０６１７１１６号（１９９４年３月９日出願）に開示されている追加の防止剤としては、１２０と３００の間（好ましくは１５０と２５０の間）の分子量を有し、且つ、下記の式を有する、エーテル−アミンが挙げられる：
【化９】
2011500919.tif 000011
（式中、Ｒ３は、少なくとも１つのエーテル官能基を有し、且つ、アルコール官能基を有さない線状又は分岐ラジカルであり、Ｒは、メチルラジカル又は水素原子であり、ｐは、１から３の整数であり、ならびにｑは、０から２の整数である）。使用されるエーテル−アミンは、少なくとも１つのエーテル官能基を有し、且つ、アルコール官能基を有さない線状又は分岐ラジカルであるラジカルＲ３を、含有しなければならない。ラジカルＲ３は、環状ではない。Ｒ３は、次の式を有することができる：Ｒ１−Ｏ−Ｒ２−（式中、Ｒ１は、１から５個の炭素原子を好ましくは有する線状又は分岐アルキルラジカルであり、及びＲ２は、２から８個の炭素原子を好ましくは有する線状又は分岐アルキレンラジカルである）。前記エーテル−アミンは、エポキシドから誘導された少なくとも１つの、及び好ましくは少なくとも２つの単位を含む。有利には、ｐ＋ｑは、１から３にわたり得る。前記エーテル−アミンの一部又は全てが、ｐ＋ｑ＝２を有する場合がある。さらに、ｐ＋ｑ＝２を有する８５から９５重量％のエーテルアミンと、ｐ＋ｑ＝３を有する１５から５重量％のエーテル−アミンとを含む混合物を使用することも有利である。一般に、前記エーテル−アミンは、出発エーテル−アミンと、エポキシド、例えばエチレンオキシド、プロピレンオキシド又はそれら２つの混合物などとを反応させることによって得られる。前記出発エーテル−アミンは、次の一般式（Ａ）を有することができる：Ｒ１−Ｏ−Ｒ２−ＮＨ２（式中、Ｒ１及びＲ２は、上と同じ意味を有する）。得られるエーテル−アミンは、有利には、次の式（Ｂ）を有するアミンを含有する：
【化１０】
2011500919.tif 000012
【００４９】
（このＲ１、Ｒ２、Ｒ、ｐ及びｑは、上と（すなわち、上の式（Ａ）についてと）同じ意味を有する）。実際には、式（Ｂ）を有するエーテル−アミンの混合物が得られる。Ｒ１、Ｒ２、Ｒ、ｐ及びｑが上と同じ意味を有するものを本質的に得ることが望ましい。実際には、式（Ｂ）を有するエーテル−アミンの混合物が得られる。ｐ＝１及びｑ＝１の場合の式（Ｂ）を有するアミンを本質的に得ることが望ましい。適するエーテル−アミンの例は、２，２’−［３（メトキシプロピル）イミノ］ビスエタノールアミンである。
【００５０】
本発明の機能性流体組成物において使用することができる腐食防止剤のクラスの例としては、脂肪酸、例えばラウリン酸、パルミチン酸、ステアリン酸又はオレイン酸、リン又はリン酸と脂肪族アルコールのエステル、ホスフェート又はホスフィット、例えばエチルホスフェート、ジメチルホスフェート、イソプロピルホスフェート、ブチルホスフィット、トリフェニルホスフィット及びジイソプロピルホスフィット、アルケニル無水物、例えばドデセニルコハク酸無水物（ＤＤＳＡ）、ジ−（２−エチルヘキシル）リン酸（ＤＥＨＰＡ）、プロパンジアミン及びキシレン成分（例えば、Ｎ，Ｎ’ジサリチリデン−１，２−プロパンジアミン及びキシレンを含む、Ｄｕｐｏｎｔ金属不活性剤）、ポリ（ジエトキシシロキサン）、（例えば、ＰＳＩ−０２１）、ヒドロキシエチルピペラジン（例えば、ジヒドロキシエチルピペラジン）、プロピレングリコール及びｂｏｒａｘ  ５ｍｏｌ成分、ヘテロ環式窒素含有化合物、例えばベンゾトリアゾールもしくはその誘導体又は任意の組み合わせ、場合によっては１，２，４トリアゾール及び／又はその誘導体を有する前述の化合物（Ｐｉｅｒｒｅ  Ｌｅｖｅｓｑｕｅによる１９９９年２月２日出願の米国特許第６，０７４，９９２号（例えば、第２欄の６５行目から第３欄の１２行目）及びＭｃＰｈａｉｌらによる１９６５年１２月１日出願のＧＢ特許番号英国特許第１，１１１，６８０号（例えば、１頁１０行目から２頁８行目）参照。両方とも参照により本明細書に組み込まれる）が挙げられる。腐食防止剤として有用な他のアミン化合物としては、アルキルアミン、例えばジ−ｎ−ブチルアミン及びジ−ｎ−アミルアミン、シクロヘキシルアミンならびにそれらの塩が挙げられる。本発明の機能性流体組成物において腐食防止剤として特に有用であるアミン化合物としては、アルカノールアミン、好ましくは、１から３個のアルカノール基を含有し、それぞれのアルカノール基が１から６個の炭素原子を含有するものが挙げられる。有用なアルカノールアミンの例としては、モノ−、ジ−及びトリメタノールアミン、モノ−、ジ−及びトリエタノールアミン、モノ−、ジ−及びトリプロパノールアミン、ならびにモノ−、ジ−及びトリイソプロパノールアミンが挙げられる。
【００５１】
１，２，４トリアゾール及びその誘導体の例としては、Ｐｉｅｒｒｅ  Ｌｅｖｅｓｑｕｅによる１９９９年２月２日出願の米国特許第６，０７４，９９２号（例えば、第２欄の６５行目から第３欄の１２行目）に挙げられているもの、例えば、式：
【化１１】
2011500919.tif 000013
によって表される１，２，４トリアゾール又はその誘導体が挙げられ、式中、Ｒ及びＲ’は、同じであり又は異なり、及び水素、１から８個の炭素原子を含有するアルキル基、アミノ基、例えば−−ＮＨ、−−ＮＨＲもしくは−−ＮＲＲ’、アシル基、例えば−ＣＯＲ、又はアリール基、例えばベンゼンもしくはトルエン、であり得る。
【００５２】
限定ではないが、１，２，４トリアゾール及びその誘導体の追加の例としては、ＭａＰｈａｉｌらによる１９６５年１２月１日出願のＧＢ特許番号英国特許第１，１１１，６８０号（１頁１０行目から２頁８行目）に挙げられているもの、例えば、式：
【化１２】
2011500919.tif 000014
を有する１，２，４−トリアゾールが挙げられ、式中、Ｒ１、Ｒ２、Ｒ３及びＲ４＝水素、アルキル、アリール、アルカリール、アラルキル、シクロアルキル、アシル又はアロイルであり、置換基Ｒ４を意味する記号（Ｒ４）は、前記トリアゾール環を構成する窒素原子のいずれか１つに付いており、又はＲ４が水素である場合には不安定な置換基である。従って、上に挙げた式は、例えば、３−置換及び３，５−置換−１，２，４−トリアゾール、例えば３−アミノ−１，２，４−トリアゾール、３−アミノ−５−ヘプチル−１，２，４−トリアゾールだけでなく、
【化１３】
2011500919.tif 000015
であり得るアシル化及びアロイル化−１，２，４−トリアゾール、例えば、
【化１４】
2011500919.tif 000016
であり得るベンゾイル化−５−フェニル−１，２，４−トリアゾールも包含する。
【００５３】
前記添加剤成分は、有利なことに、本機能性流体組成物の性能を強化するために、１つ又はそれ以上の腐食防止剤に加えて、他の添加剤成分、例えば消泡剤、ｐＨ安定剤、酸化防止剤など（全て、熟練した配合者には周知である）も含有することができる。
【００５４】
ＥＲＢＰもしくはＷＥＲＢＰ温度及び特に潤滑性を許容レベルより下に低下させないように、又は低温粘度を許容レベルより上に上昇させないように注意しさえすれば、他の材料を本発明の機能性流体に配合できると考えられる。例えば、本発明の機能性流体は、その組成物の総重量に基づき、約０又は０．１０重量部から約３０重量部の希釈剤又は潤滑剤、例えば、ポリエチレンオキシド、ポリプロピレンオキシド、ポリグリコール（例えば、モノエチレングリコール、ジエチレングリコール、トリエチレングリコール  テトラエチレングリコール、及びエチレングリコールのより高ｍｏｌ付加体（adducts）の混合物）、ポリ（アルキレンオキシド）ジアルコキシグリコール、ホウ酸コ−エステル、又はそれらの任意の組み合わせなどを含むことができる。ポリアルキレングリコールモノブチルエーテルなどの１つの好ましい潤滑剤は、前記機能性組成物の約１０から約３０重量部の量で、及びさらに好ましくは約１５から約２５重量部の量で存在する。（２つの異なるアルキレングリコール繰返し単位、オキシエチレン及びオキシプロピレンをほぼ同じ重量で含有し、且つ、ｎが少なくとも４である）好ましいポリアルキレングリコールモノブチルエーテルの例は、商品名ＵＣＯＮ（商標）５０−ＨＢ−２６０で販売されており、これはＴｈｅ  Ｄｏｗ  Ｃｏｍｐａｎｙから市販されている。
【００５５】
米国特許第４，３７１，４４８号、欧州特許第０７５００３３号及び欧州特許第０６１７１１６号（全ての目的で参照により本明細書に組み込まれる）に開示されているものなどのより低い粘度を達成するために配合される他の流体に本発明の教示を応用して、許容される最低ＥＲＢＰ及びＷＥＲＢＰ温度を維持しながら潤滑性を促進できることも考えられる。
【００５６】
本発明の機能性流体は、ブレーキ鳴きを減少させる又は無くすために高い潤滑性を有し、その上、ブレーキの寿命を向上させるという高性能機能性流体に対する当分野における要求を満たすことができる。本発明の機能性流体は、米国連邦自動車安全基準（Federal Motor Vehicle Safety Standars）１１６に与えられているＤＯＴ  ３及びＤＯＴ  ４流体に対する要件の全てを満たす、すなわち、高沸点（例えば、それぞれ２０３℃及び２３０℃より高いＥＲＢＰ）を有し、それぞれ１５００ｃＳｔ及び１８００ｃＳｔ未満の−４０℃での低減された動粘度も有する、ブレーキ液を含む。本発明の新規機能性流体は、米国連邦自動車安全基準１１６に与えられているＤＯＴ  ３及びＤＯＴ  ４についての要件の全てを満たすことができ、且つ、改善された潤滑性（例えば、耐摩耗性（antiwear））を有する。
【００５７】
本発明の流体組成物は、少なくとも約２０５℃、好ましくは少なくとも約２２５℃、さらに好ましくは少なくとも約２４０℃、及び最も好ましくは少なくとも約２４５℃のＥＲＢＰを有する。本流体組成物の−４０℃での低温粘度は、好ましくは１５００センチストーク（ｃＳｔ）未満、好ましくは約１２００又は約１１００センチストーク（ｃＳｔ）未満、さらに好ましくは約１０００ｃＳｔ又は約９００ｃＳｔ未満、及び場合により約８５０ｃＳｔ未満である。
【実施例】
【００５８】
実施例配合物（EXAMPLE FORMULATION）
【００５９】
表２に示すような以下の実施例は、限定するためのものではなく、本発明の一定の好ましい実施形態を例証するものである。Ｄ５００は、少なくとも４のｎを有する約５００の平均分子量を有するポリエチレン−プロピレングリコールモノメチルエーテルであり、プッシャーは、少なくとも４のｎを有するポリエチレングリコールの混合物であり、ＰＳＩ−０２１は、Ｇｅｌｅｓｔ  Ｉｎｃ．（米国、ペンシルバニア州のモーリスヴィル）から入手できるポリ（ジエトキシシロキサン）であり、及びＢｕｔｙｌ  Ｃａｒｂｉｔｏｌ（商標）溶剤は、Ｔｈｅ  Ｄｏｗ  Ｃｈｅｍｉｃａｌ  Ｃｏ．（米国）から入手できるジエチレングリコールモノブチルエーテルである。中間体１は、約４５重量％Ｂｕｔｙｌ  Ｃａｒｂｉｔｏｌ（商標）溶剤、約１２．５％モノエチレングリコール、約９．４重量％Ａｇｅｒｉｔｅ  Ｒｅｓｉｎ  Ｄ、約１．２５重量％硝酸ナトリウム、約０．６５重量％ベンゾトリアゾール、及び約３１．２重量％ブチルジエタノールアミンを含有する。中間体２は、約８８重量％プロピレングリコール及び約１２重量％ホウ酸ナトリウム（例えば、Ｂｏｒａｘ  ５ｍｏｌ）を含有する。
【００６０】
例として、市販のＤＯＴ  ３ブレーキ液（比較例１）及び新しく開発した機能性流体（実施例１〜３）を含む表２の機能性流体を潤滑性について評価した。これらの流体の潤滑特性を表３に示す。表３は、比較例１が、低い潤滑性を示す比較的大きい痕幅及び比較的高い平均歯数を有する一方で、新たに開発した流体（実施例１〜３）が、比較例１より高い潤滑性を有し、実施例１が最も高い潤滑性（最も低い痕幅）を有することを例証している。実施例１は、最も低い平均歯数も有する。
【００６１】
【表２】
2011500919.tif 000017
【００６２】
【表３】
2011500919.tif 000018
【００６３】
機能性流体の潤滑性（例えば、耐摩耗性）は、Ｆａｌｅｘ  Ｐｉｎ  ＆  Ｖｅｅ  Ｂｌｏｃｋ  Ｔｅｓｔ  Ｍａｃｈｉｎｅを使用して、修正ＡＳＴＭ  Ｄ  ２６７０に従って判定することができる。例として、本発明の組成物の潤滑性を評価する。この評価のために、１００ｌｂの荷重をかけ、１分のならし運転時間の間、維持した。その荷重を増し、３０分の残りの試験期間の間、２００ｌｂで維持した。その後、Ｖｅｅ  Ｂｌｏｃｋ磨耗痕の測定幅（例えば、平均痕幅）、規定試験時間間隔の間に一定荷重を維持するために前進したラチェット機構の歯の数（例えば、平均歯数）、又は両方として、磨耗を判定し、記録する。より高い報告数値（例えば、平均痕幅及び平均歯数）は、より高い磨耗度と相関する。
【００６４】
本発明の機能性流体は、修正ＡＳＴＭ  Ｄ  ２６７０（１分間の１００ポンドでのならし運転、３０分間の２００ポンドの荷重）による平均痕幅、修正ＡＳＴＭ  Ｄ  ２６７０（１分間の１００ｌｂでのならし運転、３０分間の２００ｌｂの荷重）による平均歯数、又は両方から判定して、流体動力システムに改善された潤滑性を付与する。本機能性流体は、少なくとも約０．０５、さらに特に少なくとも０．１ｍｍの平均痕幅を示すことができる。本機能性流体は、約０．４５ｍｍ未満、特に約０．３５ｍｍ未満、及びさらに特に約０．３ｍｍ未満の平均痕幅も示す。例えば、前記平均痕幅は、約０．０５から約０．４５、さらに特に約０．１から約０．３ｍｍにわたり得る。さらに、本機能性流体は、約１５未満、及びさらに特に約８未満の平均歯数を示すことができる。
【００６５】
前記機能性流体の配合物を分析して、ＤＯＴ  ３ブレーキ液要件に関する物理的特性を測定する。（米国連邦自動車規格（Federal Motor Vehicle Standard）１１６に示されている、セクション５７１．１１６以降で見つけられる試験手順を用いて）それらの物理特性を表４に示す。驚くべきことに、ポリエチレン−プロピレングリコールモノアルキルエーテル（例えば、約５００の平均分子量を有するポリエチレン−プロピレングリコールモノメチルエーテル）、例えばＤ５００（例えば、機能性流体の総重量に基づき約１０重量％から約３０重量％、さらに好ましくは約１７重量％から約２３重量％の濃度で）、一不飽和脂肪酸、例えばオレイン酸（例えば、機能性流体の総重量に基づき約０．０２重量％から約０．５重量％、好ましくは約０．０８重量％から約０．１５重量％の濃度で）、又は両方を、次の特性：約０．３６ｍｍ未満の平均痕幅、約１０未満の歯数、約２５０℃より高いＥＲＢＰ、又は約８００ｃＳｔ未満（好ましくは約７８０ｃＳｔ未満）の−４０℃での粘度、の１つ又は任意の組み合わせを有する機能性流体において、好ましくは約２５重量％より高い、さらに好ましくは約４０重量％から約６０重量％の濃度のメトキシトリグリコールと併用（及び好ましくは、エトキシル化リン酸エステルと併用、及びさらに好ましくは、ＬＵＢＲＨＯＰＨＯＳ（登録商標）ＬＰ−７００などのポリエチレンフェニルエーテルホスフェートと併用）することもできるということも、実施例２及び実施例３でわかる。
【表４】
2011500919.tif 000019
【００６６】
本発明の機能性流体は、非常に多数の機械システム（例えば、油圧リフト、クレーン、フォークリフト、ブルドーザー、油圧ジャッキ、制動システム、それらの組み合わせなど）のための作動液としての使用によく適する。これらの流体組成物の高い潤滑性ならびにＥＲＢＰ、ＷＥＲＢＰ、及び低温粘度は、運搬車両（例えば、固定及び回転翼航空機、列車、クラス１から８の自動車など）における制動システムによく適する。これらの制動システムとしては、アンチロック・ブレーキング・システム（ＡＢＳ）、安全性制御システム、又はそれらの組み合わせが挙げられる。従って、本発明は、本明細書に開示する流体組成物を含むこれらのシステムのいずれかを含む。
【００６７】
従来の自動車制動システムは、マスターシリンダに作動可能に接続された押圧機構、空気圧又は油圧ブースタ、ブレーキライン、及び制動機構を含む。ブレーキを作動させるために、作業者は押圧機構を押し、するとマスターシリンダがブレーキ液に圧をかけ、そのブレーキ液がブレーキラインを通って制動機構に送られ、その制動機構が単数又は複数の車輪の動きを少なくとも部分的に阻止する。従来のブレーキ液の高い粘度のため、従来の制動システムは、制動機構を適切に作動させるために（例えば、１つ又はそれ以上の車輪が路面でスリップしているときの衝突、又はそれらの組み合わせを避けるために）ブレーキ液にかける圧力を増やすためのブースタポンプを必要とする。
【００６８】
本発明の制動システムは、上で説明した低粘度機能性流体、従来のより高い粘度のブレーキ液、又はそれらの任意の組み合わせを含むことができる。好ましい制動システムは、上で説明した低粘度機能性流体から本質的になるブレーキ液を含む。さらに、本発明の制動システムは、ブースタポンプ（例えば、プリチャージ・ブースタポンプ）を場合によっては含むことがあるが、本開示のブレーキ液の使用はブースタポンプを不要にすることができるので、好ましくは、ブースタポンプは、本制動システムには含まれない。ブースタポンプが含まれないことは、ブースタポンプが必要とされたシステムより費用が節約されることを意味するだろう。
【００６９】
本発明の範囲を逸脱することなく上の配合物から様々な成分を置換、追加又は除去できることは理解されるべきである。さらに、上の成分の重量濃度及び列挙した特性の値は、列挙した値の５％、１０％、２５％又は５０％以下又はそれより大きく変わることがあると考えられる。例えば、１０の値は、１０％変わることがあり、その結果、約９から約１１の範囲になり得る。
【００７０】
さらに、複数の成分もしく段階の機能もしくは構造を単一の成分もしくは段階に組み合わせることができること、又は１つの段階もしくは成分の機能もしくは構造を複数の段階もしくは成分間で分割できることは理解される。本発明は、これらの組み合わせの全てを意図している。別様に述べていない限り、本明細書の中に描く様々な構造の寸法及び幾何学的配置は、本発明を限定するためのものではなく、他の寸法又は幾何学的配置が可能である。複数の構成成分又は段階を単一の統合された構造又は段階によって提供することができる。あるいは、単一の統合された構造又は段階を独立した複数の成分又は段階に分割してもよい。加えて、本発明の特徴を、例証した実施形態の１つだけに関する文脈の中で説明していることがあるが、そのような特徴を、任意の所与の用途のために、他の実施形態の１つ又はそれ以上の他の特徴と組み合わせてもよい。本明細書における固有の構造の作製及びそれらの作動も本発明の方法を構成するということも理解される。本発明は、本明細書における方法の実施の結果として生ずる中間体及び最終製品も包含する。「含む（comprising）」及び「含む（including）」の使用は、列挙した特徴「から本質的になる（consist essentially of）」又は「からなる（consist of）」実施形態も意図している。
【００７１】
本明細書に提示する説明及び実例は、他の当業者に本発明、その原理及びその実際の用途を知らせるためのものである。当業者は、特定の使用の要件に最適であり得るように、本発明をその非常に多数の形態で適応させること及び適用することができる。従って、述べたような本発明の特定の実施形態は、本発明を網羅するもの又は限定するものと解釈されない。従って、本発明の範囲は、上の説明を参照して決めるべきではなく、その代わり、添付の特許請求の範囲を、そのような特許請求の範囲が権利を受ける等価物の全範囲と共に参照して、決めるべきである。特許出願及び公報を含めて、全ての論文及び参考文献の開示は、全ての目的で参照により組み込まれる。
【国際調査報告】
2011500919.tif 000022
2011500919.tif 000023
2011500919.tif 000024
2011500919.tif 000025
2011500919.tif 000026